(57)【特許請求の範囲】
【請求項１】
貯蔵庫本体の出入口に開閉可能な扉が設けられた冷却貯蔵庫において、
前記扉の周縁部にはこの扉を内外に貫通した回動軸が設けられ、かつ前記扉の外面には、差し込んだ鍵を介して軸部が正逆方向に回動操作される回転錠が設けられて、この回転錠の軸部と前記回動軸とが一体回動可能に連結され、前記回転錠の操作により前記回動軸が軸線回りで所定角度間隔を開けた開位置と閉位置との２位置に回動可能とされ、この回動軸の内面側への突出端に、その軸線と直交する方向を向いた被係止棒が設けられるとともに、
前記出入口の周面における前記扉を閉じた場合に庫内に露出する対応位置には、前記回動軸が閉位置に回動された場合には前記被係止棒に係止可能で、前記回動軸が開位置に回動された場合には前記被係止棒に対する係止が解除可能とされる係止部材が設けられ、
かつ、この係止部材は締結具を介して着脱可能に設けられ、この締結具を緩めて前記係止部材を外すことで前記被係止棒に対する係止が解除されるようになっていること特徴とする冷却貯蔵庫の扉装置。
【発明の詳細な説明】
【０００１】
【発明の属する技術分野】
本発明は、冷却貯蔵庫の扉を閉鎖状態に保持する装置に関する。
【０００２】
【従来の技術】
例えば、プレハブ型冷蔵庫のような大型の冷蔵庫では、出入口に設けられた扉を閉鎖状態に保持する装置を備えている場合がある。従来その一例としては、図１３に示すようなラッチ式のものが知られている。このものは、扉１側に設けられたラッチ本体２の爪３を、冷蔵庫本体４側に設けられたラッチ受け５の爪６の後面に係止することで扉１を閉鎖状態に保持し、ハンドル７を引いて爪３を後退させることで係止を解除し、扉１を開放する構造となっている。
【０００３】
【発明が解決しようとする課題】
しかしながら上記のラッチ式のものは、いわば係止機構部分が扉１の外面側に設けられる構造であって、例えばラッチ受け５については出入口８の外側の口縁に取り付ける必要がある。そのため、出入口８の中央に仕切用の縦枠を設けることなく一対の扉を観音開き式に装備した形式のもの等、出入口８の口縁が扉で覆われて外面に露出しない構造のものでは、ラッチ受け５が取り付けられないために適用することができず、すなわち使用が制限されるという問題があった。
また、誤って庫内に人が閉じ込められた場合にも脱出できるように、扉１の内面に解除棒９が設けられ、この解除棒９を押すことでハンドル７を強制的に回動させて係止を解除し得る手当が施されてはいるが、上記のように係止機構部分は扉１の外面側にあるために、庫内からでは係止が解除される動作を直接に目視することができず、安心感に欠ける嫌いがあった。
本発明は上記のような事情に基づいて完成されたものである。
【０００４】
【課題を解決するための手段】
請求項１の発明は、貯蔵庫本体の出入口に開閉可能な扉が設けられた冷却貯蔵庫において、前記扉の周縁部にはこの扉を内外に貫通した回動軸が設けられ、かつ前記扉の外面には、差し込んだ鍵を介して軸部が正逆方向に回動操作される回転錠が設けられて、この回転錠の軸部と前記回動軸とが一体回動可能に連結され、前記回転錠の操作により前記回動軸が軸線回りで所定角度間隔を開けた開位置と閉位置との２位置に回動可能とされ、この回動軸の内面側への突出端に、その軸線と直交する方向を向いた被係止棒が設けられるとともに、前記出入口の周面における前記扉を閉じた場合に庫内に露出する対応位置には、前記回動軸が閉位置に回動された場合には前記被係止棒に係止可能で、前記回動軸が開位置に回動された場合には前記被係止棒に対する係止が解除可能とされる係止部材が設けられ、かつ、この係止部材は締結具を介して着脱可能に設けられ、この締結具を緩めて前記係止部材を外すことで前記被係止棒に対する係止が解除されるようになっているところに特徴を有する。
【０００７】
【発明の作用及び効果】
＜請求項１の発明＞
扉を閉めたのち回転錠を操作して回動軸を閉位置に回動すると、被係止棒が係止部材に係止されて扉が閉鎖状態に保持され、一方回動軸を開位置に回動すると、被係止棒に対する係止が解除されて扉が開かれる。庫内に閉じ込められた場合は、庫内から締結具を緩めて係止部材を外すことにより、被係止棒に対する係止が解除され、引き続いて扉を開けることができる。
回転錠を用いることにより、外部から扉を閉鎖状態に施錠することができる。係止機構部分が扉の内面側に配され、例えば係止部材は出入口の周面に設ければ足りるから、出入口の口縁が外面に露出しない構造のものにも適用でき、使用範囲が大幅に広がる。また、庫内から係止解除の操作を行う場合、解除動作を直接目視することができるから、安心感を得ることができる。
【００１０】
【発明の実施の形態】
以下、本発明の実施形態を添付図面に基づいて説明する。
＜第１実施形態＞
本発明の第１実施形態を図１ないし図５によって説明する。この実施形態では、プレハブ冷蔵庫を例示している。
図１において、符号１０はプレハブ冷蔵庫の本体であって、複数枚の断熱パネルを組み付けることによって前面開口の箱形に形成されており、この前面開口が出入口１１となっている。
【００１１】
この出入口１１には、左右一対の断熱性の扉１２Ａ，１２Ｂがいわゆる観音開き式に装着されている。詳細には、左扉１２Ａが出入口１１の左側縁に、右扉１２Ｂが出入口１１の右側縁にそれぞれヒンジを介して揺動可能に支持されている。左扉１２Ａの開放端には、ピラー１４が内方に引っ込んだ状態で装着され、左右の扉１２Ａ，１２Ｂが閉じられると、右扉１２Ｂの開放端がピラー１４に当たって閉鎖するようになっている。
両扉１２Ａ，１２Ｂの外面の開放端側には取手部１６が設けられているとともに、内面の周縁には、図３に示すようにマグネット１８を埋設したパッキン１７が装着され、閉扉された場合に、出入口１１の外側の口縁やピラー１４に密着されるようになっている。
【００１２】
さて、両扉１２Ａ，１２Ｂを閉鎖状態に保持する装置が備えられており、以下それについて説明する。
右扉１２Ｂの上縁部における開放端に寄った位置には、回動軸４０等が設けられている。これらの取付位置には、図２及び図３に示すように、扉１２Ｂの内外を貫通する貫通孔２０が形成されている。この貫通孔２０の内側の端部では、内箱２１の内側に補強板２２が張られ、それらに貫通孔２０と整合した孔２３が開けられているのに対して、貫通孔２０の外側の端部では、同様に外箱２５の内側に補強板２６が張られているものの、それらには横長の長円形の取付孔２７が形成されている。
【００１３】
貫通孔２０の外面側には、回転錠３０が取り付けられている。この回転錠３０は、横長の長円形断面の本体部３１の外端側に、鍵の差し込み部となる頭部３２が設けられているとともに、他端側に回動操作される一回り小さい長円形断面の軸部３３が設けられた構造であって、頭部３２の鍵孔に図示しない鍵を差し込んで、正面から見た時計回り方向に９０度回動操作することによって、軸部３３が縦向きの姿勢を取り、その状態から鍵を反時計回り方向に９０度回動させることで、軸部３３が元の横向きの姿勢に戻るようになっている。
また、回転錠３０の本体部３１の外周には、雄ネジ３４が切られている。回転錠３０は、本体部３１を取付孔２７に外面側から挿入し、内面側から貫通孔２０内に入れたナット３５を本体部３１に螺合して締め付けることによって、回転錠３０が一定の姿勢で回り止め状態で固定されている。
【００１４】
貫通孔２０の内面側には、回動軸４０が庫内側に向けて突出するようにして設けられている。この回動軸４０は基端側に鍔４１が形成されて、その後ろに、上記した回転錠３０の軸部３３と同じ長円形断面の連結軸４２が突設されているとともに、先端側には、上下両面に平行二面４３が形成され、両面４３を貫通して取付孔４４が形成されている。この取付孔４４には、被係止棒５０が取付可能とされている。被係止棒５０には、フランジ５１と止め輪５２の取付溝５３が所定間隔を開けて形成されている。
【００１５】
その他、上記した回転錠３０の軸部３３と、回動軸４０の連結軸４２との間を連結すべく連結部材３７が備えられている。この連結部材３７は合成樹脂製であって、全体としては円筒形に形成されているが、その中心孔３８は、回転錠３０の軸部３３と回動軸４０の連結軸４２とが嵌合可能な長円形断面に形成されている。
また、内箱２１の表面に当てられる取付板５５が設けられ、この取付板５５には、回動軸４０が挿通される軸受孔５６と、その両側にネジ５７の挿通孔５８が開口されている。
【００１６】
回動軸４０は以下のようにして組み付けられる。上記のように回転錠３０が取り付けられたのち、その軸部３３に連結部材３７の中心孔３８の一端が嵌合される。続いて回動軸４０の連結軸４２が、連結部材３７の中心孔３８の他端に嵌合される。次に取付板５５が軸受孔５６に回動軸４０を通して内箱２１の表面に当てられ、挿通孔５８に通したネジ５７を内箱２１のネジ孔５９に螺合して締め付けることで取付板５５が固定される。そして、回動軸４０における軸受孔５６から突出した部分の取付溝４５に止め輪４６が嵌着されることによって、回動軸４０は、軸線回りの回動可能に、かつ軸線方向の抜け止め状態に支持される。
【００１７】
また、回動軸４０の先端の取付孔４４には、被係止棒５０が下方から挿通され、フランジ５１を平行二面４３の下面に突き当てたのち、上面から突出した取付溝５３に止め輪５２を嵌着することによって、両端部をほぼ同じ寸法突出させた状態で固定される。
すなわち回動軸４０は、連結部材３７を介して回転錠３０の軸部３３と一体的に軸線回りに回動し、回転錠３０に鍵を差し込んで閉位置に回動操作すると、被係止棒５０が横向きに寝た姿勢を取り（図４）、元の開位置に戻すと、被係止棒５０が縦向きの姿勢を取る（図３）ようになっている。
【００１８】
一方、冷蔵庫本体１０の出入口１１側には、係止部材６０が取り付けられている。その取付位置は詳細には、図１に示すように、上記した回動軸４０、被係止棒５０等の取付位置と対応して、出入口１１の上側の周面における幅方向の中央部から少し右側に寄った位置である。
係止部材６０は、全体としてアングル状に形成され、水平面が取付板６１となっているとともに、垂下面では、下端開放の逃がし溝６２を挟んだ両側に一対の係止板６３を備えた形状である。上記の逃がし溝６２は、回動軸４０の先端部分から被係止棒５０の上方突出部を挿通可能な幅と高さとを有している。
【００１９】
係止部材６０の取付板６１には、左右一対のネジの挿通孔６４が形成されている。一方、出入口１１の上側の周面の取付位置では、図３に示すように、内箱２１の裏側に補強板６６が配され、内箱２１にはネジの挿通孔６７が、また補強板６６にはネジ孔６８が切られている。
係止部材６０は、図１に示すように、係止板６３を手前に向けた姿勢で出入口１１の取付面に当てられて、取付板６１と内箱２１の挿通孔６４，６７同士が整合され、両挿通孔６４，６７に摘み６９Ａ付きのネジ６９が挿通され、ネジ孔６８に螺合して締め付けることにより係止部材６０が固定されるようになっている。
係止部材６０が固定されると、右扉１２Ｂが閉じられた場合に、回動軸４０の先端と被係止棒５０の上方突出部が逃がし溝６２を通ってその裏側に進入し（図３参照）、回動軸４０の回動に伴って被係止棒５０が横に寝ると、その両突出部が左右の係止板６３に係止されるようになっている。
なお、摘み６９Ａ付きのネジ６９を緩めて外すと、被係止部材６０は出入口１１の取付面から取り外すことが可能となっている。
【００２０】
続いて、本実施形態の作用を説明する。
庫内での作業等が終了して閉扉する場合は、まず左扉１２Ａを閉じると、裏面のマグネット１８付きパッキン１７が出入口１１の左半分の口縁に磁気吸引力で密着して閉じられる。続いて右扉１２Ｂが閉じられ、このときは図１に示すように、回動軸４０の先端の被係止棒５０が縦向きの姿勢にあるから、回動軸４０の先端から被係止棒５０の上方突出部が、図３に示すように、係止部材６０の逃がし溝６２を通って係止板６３の裏側に進入し、それとともに、裏面のマグネット１８付きパッキン１７が出入口１１の右半分の口縁とピラー１４とに磁気吸引力で密着して閉じられる。これだけでも、上記した磁気吸引力で両扉１２Ａ，１２Ｂは閉鎖状態に保持される。
【００２１】
さらに施錠する場合は、図３の状態から回転錠３０に鍵を差し込んで、閉位置に向けて正面から見た時計回り方向に９０度回動させると、連結部材３７を介して回動軸４０が同方向に同角度回動し、図４に示すように、被係止棒５０が横向きの姿勢となって、両突出部が左右の係止板６３に係止される。これにより、右扉１２Ｂが閉鎖状態にロックされ、また左扉１２Ａは、一体に設けられたピラー１４が右扉１２Ｂで押さえ付けられることによって同じく閉鎖状態にロックされる。
解錠する場合は、再度鍵を差し込んで元の開位置に向けて反対方向に９０度回動させると、回動軸４０が同方向に同角度回動して、被係止棒５０が図３のように縦向きに起こされる。したがって右扉１２Ｂを手前に引くと、被係止棒５０が逃がし溝６２を通って手前に抜けつつ開扉され、それに伴いピラー１４に対する押さえも無くなるから、引き続いて左扉１２Ａも開けることができる。
【００２２】
なお、庫内に入って作業等をしている間に、他人が誤って閉扉して施錠してしまう、すなわち庫内に閉じ込められてしまう場合があり得る。その場合は、図５に示すように、係止部材６０を取り付けている摘み６９Ａ付きのネジ６９を緩めて外し、逃がし溝６２に回動軸４０を通しつつ係止部材６０を庫内側に向けて外す。そうすると、施錠されているにも拘わらず、被係止棒５０に対する係止が解除されるから、引き続いて右扉１２Ｂを庫外に向けて押すことで開扉することができる。
【００２３】
以上説明したように本実施形態の扉保持装置では、係止機構部分が扉の内面側に配された構造であって、係止部材６０は出入口１１の周面に設ければ足りるから、本実施形態に例示した観音開き式の扉１２Ａ，１２Ｂを備えた冷蔵庫のように、出入口１１の口縁が外面に露出しない構造のものにも使用可能となる。
誤って庫内に閉じ込められた場合にも、摘み６９Ａ付きのネジ６９を緩めて係止部材６０を外せば、被係止棒５０に対する係止が解除されるから、引き続いて扉１２Ｂを開けることができる。そのとき、係止の解除動作を直接目視することができるから、大きな安心感が得られる。
また、従来のラッチ式のものと比べると、構造も比較的簡単で小型であるから低コストで対応でき、またメンテナンス性にも優れている。
なお、係止部材６０を予め外しておくことにより、回転錠３０の組み込まれた構造ではあっても、施錠機能を除去した状態で使用できる。
【００２４】
また上記のように、回転錠３０により回動軸４０を回動させる構造とした場合、回動軸４０は庫内に突出していて冷却状態にあるため、それらが直接連結されていると、回動軸４０の冷熱が回転錠３０に伝達されて冷却され、回転錠３０の頭部３２等に結露が生じるおそれがある。
その点この実施形態では、回転錠３０と回動軸４０とが断熱性に優れた合成樹脂製の連結部材３７を介して連結されているから、回動軸４０の冷熱が回転錠３０に伝達されることが連結部材３７により抑えられ、それにより回転錠３０が冷却されることが防止されて結露の発生も未然に防ぐことができる。
【００２５】
＜第２実施形態＞
図６及び図７は本発明の第２実施形態を示す。この第２実施形態では、係止機構部分に変更が加えられている。以下には、第１実施形態と相違した部分を主に説明し、第１実施形態と同一機能を有する部位については同一符号を付すことで重複した説明は省略する。
回転錠３０と連動して回動される回動軸４０の先端の取付孔４４には、被係止棒７０が装着されている。被係止棒７０は、先端側が縮径された段付き状に形成され、先端側に止め輪７１が嵌着可能とされている。被係止棒７０は取付孔４４内に下方から摺動可能に挿通され、その上方突出部に圧縮コイルバネ７２を嵌装して止め輪７１で係止することにより、被係止棒７０に上方への移動力が付勢され、段付部７３が平行二面４３の下面に当たることで停止した状態にある。
【００２６】
この第２実施形態では、被係止棒７０が縦に立った状態が閉位置であり、図７の鎖線に示すように、横に寝た状態が開位置である。
一方、出入口１１の上側の周面には、縦向きに立った被係止棒７０の先端が嵌入可能な係止凹部７５が形成されている。なお、被係止棒７０が横向きの姿勢を取りつつ係止凹部７５から脱出可能なように、係止凹部７５の底面は円弧状に形成されている（図７）。
【００２７】
第２実施形態の作用は以下のようである。
閉扉する場合は、左扉１２Ａを閉じたのち右扉１２Ｂを閉じると、このときは、図７の鎖線に示すように、回動軸４０の先端の被係止棒７０が横向きの姿勢にあるから、そのまま係止凹部７５の直下に進入しつつ閉扉される。
さらに施錠する場合は、回転錠３０に差し込んだ鍵の操作によって、回動軸４０を閉位置に回動させると、被係止棒７０が図７の鎖線位置から実線位置に回動し、図８に示すように、被係止棒７０の先端が係止凹部７５内に嵌入した状態となって、右扉１２Ｂが閉鎖状態にロックされる。左扉１２Ａは、同じくピラー１４が右扉１２Ｂで押さえ付けられることで閉鎖状態にロックされる。
【００２８】
解錠する場合は、再度鍵を差し込んで回動軸４０を元の開位置に向けて反対方向に回動させると、被係止棒７０が図７の鎖線に示すように横向きに寝るために係止が解除され、右扉１２Ｂを手前に引くことで開扉でき、引き続いて左扉１２Ａも開扉できる。
また、庫内に閉じ込められてしまった場合には、図６の状態から、圧縮コイルバネ７２の弾力に抗して被係止棒７０を下方に引っ張り、先端を係止凹部７５から抜き出すと、施錠されているにも拘わらず被係止棒７０に対する係止が解除されるから、引き続いて右扉１２Ｂを庫外に向けて押すことで開扉することができる。
【００２９】
＜第３実施形態＞
本発明の第３実施形態を図８ないし図１２によって説明する。この第３実施形態は、上記の第２実施形態にさらに改良を加えたものであって、以下には主に改良部分について説明し、第２実施形態さらには第１実施形態と同一機能を有する部位については同一符号を付すことで重複した説明は省略する。
右扉１２Ｂの裏面における上縁部の開放端に寄った位置には、図１１に示すように、取付凹部８０が形成されており、この取付凹部８０の奥面に取付板５５が固定された状態で、回動軸４０等が装着されている。
回動軸４０の先端の取付孔４４には、被係止棒７０Ａが装着されている。被係止棒７０Ａには、その後端に操作フランジ７７が形成されている。被係止棒７０Ａは取付孔４４内に下方から摺動可能に挿通され、その上方突出部に圧縮コイルバネ７２を嵌装して、先端寄りの位置に嵌着された止め輪７１で係止することにより、被係止棒７０Ａに上方への移動力が付勢され、係止フランジ７８が平行二面４３の下面に当たることで停止した状態にある。
この第３実施形態でも、図１２の実線に示すように被係止棒７０Ａが縦に立った状態が閉位置であって、この閉位置にあるときには、被係止棒７０Ａの先端が、出入口１１の上側の周面に形成された係止凹部７５内に嵌入しており、一方、同図の鎖線に示すように、横に寝た状態が開位置である。
【００３０】
さて第３実施形態では、被係止棒７０Ａを後退操作させるための操作レバー８１が装備されている。この操作レバー８１は、鋼板等の帯材をＬ形に曲げて形成されており、縦板８２の上端における庫内側の面には、フック状に屈曲された当接部８４が形成されている。また、上記の縦板８２における図１１の手前側から見た右側縁には、回動軸４０を嵌めて逃がす逃がし溝８５が切り欠き形成されているとともに、横板８３の右側縁には、被係止棒７０Ａの後端側を若干のクリアランスを持って嵌合する係止溝８６が同じく切り欠き形成されている。この係止溝８６は、本願の特許請求の範囲に記載された「補助係止部」に相当する。
【００３１】
上記の操作レバー８１が、取付凹部８０内の正面から見た左側の領域に配設され、その屈曲部分に設けられた蝶番８８を取付凹部８０の奥面の下部にネジ８９で固定することによって、操作レバー８１は蝶番８８を中心として揺動可能に支持されている。
操作レバー８１が取り付けられた状態では、縦板８２の逃がし溝８５内に回動軸４０が嵌まって逃がされるとともに、横板８３がその係止溝８６に被係止棒７０Ａの下端部を嵌めつつ操作フランジ７７の上に載って、図９に示すように水平姿勢を取るようになっている。これに伴い縦板８２は、取付板５５のすぐ手前で垂直姿勢を取り、その上端の当接部８４が、出入口１１における上側の口縁１１Ａの所定寸法手前側で対向するようになっている。
【００３２】
第３実施形態の作用は以下のようである。
閉扉する場合は、左扉１２Ａを閉じたのち右扉１２Ｂを閉じると、このときは、図１２の鎖線に示すように、回動軸４０の先端の被係止棒７０Ａが横向きの姿勢にあるから、そのまま係止凹部７５の直下に進入しつつ閉扉される。施錠する場合は、回転錠３０に差し込んだ鍵の操作によって、回動軸４０を閉位置に回動させると、被係止棒７０Ａが図１２の鎖線位置から実線位置に回動し、図９に示すように、被係止棒７０Ａの先端が係止凹部７５内に嵌入した状態となって、右扉１２Ｂが閉鎖状態にロックされる。左扉１２Ａは、ピラー１４が右扉１２Ｂで押さえ付けられることで閉鎖状態にロックされる。
解錠する場合は、再度鍵を差し込んで回動軸４０を元の開位置に向けて反対方向に回動させると、被係止棒７０Ａが図１２の鎖線に示すように横向きに寝るために係止が解除され、右扉１２Ｂを手前に引くことで開扉でき、引き続いて左扉１２Ａも開扉できる。
【００３３】
また、庫内に閉じ込められてしまった場合には、図９の状態から、横板８３の先端を同図の矢線に示すように引き下げると、操作レバー８１が蝶番８８を中心に同図の時計回り方向に揺動し、係止溝８６の溝縁が操作フランジ７７を押し下げることで、被係止棒７０Ａが圧縮コイルバネ７２の弾力に抗して下方に引っ張られ、その先端が係止凹部７５から抜け出すことで、施錠されているにも拘わらず被係止棒７０Ａに対する係止が解除される。上記の操作に伴い縦板８２の上端が次第に庫内側に傾倒し、被係止棒７０Ａの先端が係止凹部７５から抜けたところで、当接部８４が出入口１１の口縁１１Ａに当接する。したがってさらに操作レバー８１を同方向に揺動操作すると、図１０に示すように、当接部８４が出入口１１の口縁１１Ａを押圧することによって、右扉１２Ｂが少し開かれる。そのため、続いて右扉１２Ｂを庫外に向けて押すことで開扉することができる。
【００３４】
この第３実施形態によれば、以下のような利点を得ることができる。
操作レバー８１を揺動操作するだけで、係止の解除から扉１２Ｂの開放の取っ掛かりまでの動作を一連に行うことができる。操作レバー８１のてこ作用を利用しているから、横板８３の突出端を長く延出させることによって、係止の解除並びに扉の開放動作をより小さな力で行うことができ、大型の扉でも容易に開けることが可能となる。
係止の解除操作のために部材を外す必要がないから、部材が落下したり紛失するおそれがない。また、出入口１１の周面から庫内に対して突起物がないから、貯蔵物の出し入れの障害とならない。
【００３５】
被係止棒７０Ａが閉位置にあるときに、その先端が係止凹部７５に嵌入しただけの構造であると、施錠状態で無理に開扉しようとした場合に、被係止棒７０Ａが傾倒して回動軸４０を貫通した部分でこじる等によりその損傷を招くおそれがある。
その点この実施形態では、被係止棒７０Ａが閉位置にあるときに、その後端側が操作レバー８０の横板８３の係止溝８６に嵌まるようにしたから、上記のように施錠状態で無理に開扉しようとした場合にも、被係止棒７０Ａの両端が支持された状態となってその傾倒が回避され、損傷の発生等が未然に防止される。
【００３６】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）本発明は、片開き等の他の扉開閉方式を備えた冷却貯蔵庫全般に広く適用することができる。
【図面の簡単な説明】
【図１】本発明の第１実施形態に係るプレハブ冷蔵庫の部分斜視図
【図２】扉側の保持機構部分の分解斜視図
【図３】閉扉した後施錠前の側断面図
【図４】施錠後の側断面図
【図５】係止解除動作を示す側断面図
【図６】本発明の第２実施形態に係る施錠後の側断面図
【図７】その正面からの断面図
【図８】本発明の第３実施形態に係るプレハブ冷蔵庫の外観斜視図
【図９】閉扉施錠状態の側断面図
【図１０】係止解除動作を示す側断面図
【図１１】扉側の保持機構部分の分解斜視図
【図１２】施錠状態の正面からの断面図
【図１３】従来例の斜視図
【符号の説明】
１０…冷蔵庫本体
１１…出入口
１２Ａ，１２Ｂ…扉
２０…貫通孔
３０…回転錠
３７…連結部材
４０…回動軸
５０…被係止棒
６０…係止部材
６１…取付板
６２…逃がし溝
６３…係止板
６９…ネジ
６９Ａ…摘み
７０…被係止棒
７２…圧縮コイルバネ
７５…係止凹部
７０Ａ…被係止棒
７７…操作フランジ
８１…操作レバー
８２…縦板
８３…横板
８４…当接部
８６…係止溝
８８…蝶番
１１Ａ…（出入口１１の）口縁
【図１】
0003790660.tif 000002
【図２】
0003790660.tif 000003
【図３】
0003790660.tif 000004
【図４】
0003790660.tif 000005
【図５】
0003790660.tif 000006
【図６】
0003790660.tif 000007
【図７】
0003790660.tif 000008
【図８】
0003790660.tif 000009
【図９】
0003790660.tif 000010
【図１０】
0003790660.tif 000011
【図１１】
0003790660.tif 000012
【図１２】
0003790660.tif 000013
【図１３】
0003790660.tif 000014